(57)【要約】【課題】ガス燃料を燃焼室内に直接噴射して燃焼させる直噴ガスエンジンにおいて、航続距離の向上と高負荷時の高効率運転とを両立する。【解決手段】ガス燃料を燃焼室内に直接噴射して燃焼させる直噴ガスエンジンであって、ガス燃料を燃焼室内に直接噴射する噴射手段、ガス燃料を貯蔵するメインタンク及びサブタンク、メインタンク及びサブタンクの内圧を個別に取得するタンク内圧検出手段、メインタンクの内圧が第１所定圧以上である場合はメインタンクから噴射手段にガス燃料を供給し、メインタンクの内圧が第１所定圧未満である場合はサブタンクから噴射手段にガス燃料を供給する燃料供給源切換手段、並びにサブタンクの内圧が第２所定圧未満である場合は、メインタンクからサブタンクにガス燃料を充填してサブタンクの内圧を高める加圧手段を備えることを特徴とする直噴ガスエンジン。【選択図】図２
2012117495.tif 000002
【特許請求の範囲】
【請求項１】
ガス燃料を燃焼室内に直接噴射して燃焼させる直噴ガスエンジンであって、
ガス燃料を燃焼室内に直接噴射する噴射手段と、
前記ガス燃料を貯蔵するメインタンク及びサブタンクと、
前記メインタンク及び前記サブタンクの内圧を個別に取得するタンク内圧検出手段と、
前記タンク内圧検出手段によって検出される前記メインタンクの内圧が第１所定圧以上である場合は前記メインタンクから前記噴射手段に前記ガス燃料を供給し、前記タンク内圧検出手段によって検出される前記メインタンクの内圧が前記第１所定圧未満である場合は前記サブタンクから前記噴射手段に前記ガス燃料を供給する燃料供給源切換手段と、
前記タンク内圧検出手段によって検出される前記サブタンクの内圧が第２所定圧未満である場合は、前記メインタンクから前記サブタンクに前記ガス燃料を充填して前記サブタンクの内圧を高める加圧手段と、
を備えること、
を特徴とする、直噴ガスエンジン。
【請求項２】
請求項１に記載の直噴ガスエンジンであって、前記ガス燃料が水素であることを特徴とする、直噴ガスエンジン。
【請求項３】
請求項１又は請求項２の何れか１項に記載の直噴ガスエンジンであって、前記タンク内圧検出手段によって検出される前記メインタンクの内圧が前記第１所定圧よりも低い第３所定圧未満である場合は前記加圧手段の作動を停止する加圧停止手段を更に備えることを特徴とする、直噴ガスエンジン。
【請求項４】
請求項１乃至請求項３の何れか１項に係る直噴ガスエンジンであって、前記タンク内圧検出手段によって検出される前記メインタンクの内圧が前記第１所定圧未満である場合は第１警告を発し、前記タンク内圧検出手段によって検出される前記メインタンクの内圧が前記第３所定圧未満である場合は第２警告を発し、前記タンク内圧検出手段によって検出される前記サブタンクの内圧が前記第２所定圧未満である場合は第３警告を発する、タンク内圧警告手段を更に備えることを特徴とする、直噴ガスエンジン。
【請求項５】
請求項１乃至請求項４の何れか１項に記載の直噴ガスエンジンであって、外部からのガス燃料の充填が前記メインタンクのみに対して行われること、並びに前記加圧手段の最大吐出圧力及び前記サブタンクの許容圧力が、前記メインタンクに対する外部からのガス燃料の充填圧よりも低いことを特徴とする、直噴ガスエンジン。
【請求項６】
請求項１乃至請求項５の何れか１項に記載の直噴ガスエンジンであって、エンジンの負荷及び回転数を検出するエンジン運転状況検出手段と、前記エンジン運転状況検出手段によって検出されるエンジンの負荷及び回転数に基づいて前記第１所定圧を変更する第１所定圧変更手段と、を更に備えることを特徴とする、直噴ガスエンジン。
【請求項７】
請求項１乃至請求項６の何れか１項に記載の直噴ガスエンジンであって、前記タンク内圧検出手段によって検出される前記サブタンクの内圧に応じて前記加圧手段の吐出量を変更する吐出量変更手段を更に備えることを特徴とする、直噴ガスエンジン。
【請求項８】
請求項１乃至請求項６の何れか１項に記載の直噴ガスエンジンであって、エンジンの負荷及び回転数を検出するエンジン運転状況検出手段と、前記エンジン運転状況検出手段によって検出されるエンジンの負荷及び回転数に基づいて前記加圧手段の吐出量を変更する吐出量変更手段と、を更に備えることを特徴とする、直噴ガスエンジン。
【発明の詳細な説明】
【技術分野】
【０００１】
本発明は、ガス燃料を燃焼室に供給し、同燃焼室において同ガス燃料を燃焼させることにより動力を取り出すエンジンにおける同ガス燃料の噴射制御に関する。
【背景技術】
【０００２】
従来から、ガス燃料を燃焼室に供給して同ガス燃料を燃焼させることにより動力を取り出すエンジンが知られている。例えば、燃焼室に水素と酸素と作動ガスとしてのアルゴンガスとを供給して同水素を燃焼させる水素エンジンが提案されている。アルゴンガスは一つの原子からなる分子（単原子分子）である。単原子分子からなるガス（単原子分子ガス、不活性ガス）は、空気よりも比熱比が大きい。従って、アルゴンガスを作動ガスとして用いる上記水素エンジンは、非常に高い熱効率にて運転され得る（例えば、特許文献１を参照）。
【０００３】
上述したように、アルゴンガス等の単原子分子ガスを作動ガスとするエンジンは、非常に熱効率が高い。換言すると、アルゴンガスの比熱比は非常に大きいので、燃焼室内の温度は空気を作動ガスとする場合に比べて非常に高くなる。このため、通常の火花点火燃焼（火炎伝播による燃焼）により燃料を燃焼させるとノッキング等の異常燃焼が発生する虞がある。従って、点火時期を比較的遅角側の点火時期に設定せざるを得ない。この結果、熱効率が低下する。そこで、かかるエンジンにおいて、圧縮上死点近傍にてガス燃料（例えば、水素ガス）を噴射することにより同噴射されたガス燃料を拡散燃焼させることが考えられる。
【０００４】
一方、燃料としてのガス（例えば、水素ガス）は、高圧のガス状態にてタンク（例えば、ボンベ）内に貯えられる。従って、タンク内のガス燃料が消費されて減少するとタンク内のガス燃料の圧力が低下する。他方、ガス燃料（例えば、水素ガス）を拡散燃焼させるために同ガス燃料を燃焼室内に噴射する時点における同燃焼室内の圧力は非常に高くなっている。この結果、ガス燃料をタンク内の圧力を利用して燃焼室内に噴射するエンジンの場合、タンク内のガス燃料が消費されて減少すると（即ち、タンク内のガス燃料の圧力が低下すると）、ガス燃料を拡散燃焼に好適な噴射タイミングにて燃焼室内に噴射することができない。このため、ガス燃料がタンク内に残存しているにもかかわらず、ガス燃料をタンクに補給しなければエンジンの運転を継続することができないという問題が生じる。また、ガス燃料の噴射を行うための圧力（噴射手段の噴射圧、燃料噴射圧）を何らかの手段（例えば、加圧ポンプ等）により発生させている場合であっても、その圧力（即ち、噴射手段に供給されているガス燃料の圧力）が何らかの理由により低下すると、拡散燃焼に好適な噴射タイミングにてガス燃料を燃焼室内に噴射することができるレベルにまで噴射圧を高めることが困難となるので、上記と同様な問題が生じる。
【０００５】
そこで、上記課題に対処するために、直噴ガスエンジンにおいて、タンク内のガス燃料の圧力（タンク内圧）が所定圧以上の場合は、酸素や作動ガスを含むガスが燃焼室内にて圧縮されている高圧縮状態にある期間内の所定の第１噴射時期にてガス燃料を燃焼室内に噴射する所謂「高圧噴射」（「圧縮行程噴射」とも称する）を行って、タンクから供給されるガス燃料を燃焼室内において拡散燃焼させ、タンク内圧が所定圧未満の場合は、前記高圧噴射が可能ではないため、燃焼室内の圧力（筒内圧）が前記第１噴射時期における圧力よりも低い圧力である第２噴射時期（例えば、吸気行程）にてガス燃料を燃焼室内に噴射し、且つ点火手段から所定の点火時期にて火花を発生させ、これにより、燃焼室内に噴射されたガス燃料に点火して、ガス燃料を火花点火燃焼させることが提案されている（例えば、特許文献２を参照）。
【０００６】
しかしながら、前述のように、ガス燃料（特に、水素ガス）を吸気行程噴射し、通常の火花点火燃焼（火炎伝播による燃焼）によって燃焼させると、比熱比が高い単原子分子ガス（例えば、アルゴンガス）を作動ガスとして使用する場合は特に、ノッキング等の異常燃焼が発生する虞がある。従って、点火時期を比較的遅角側の点火時期に設定したり、又は特許文献２に記載されている作動ガス循環型水素エンジンの場合は、排気ガスからの水蒸気の分離率を低下させて燃焼室に吸気される作動ガス中の水蒸気の比率を高める等の対処を行わざるを得ない。この結果、作動ガスの比熱比が低下し、エンジンの熱効率が低下するという問題が生ずる。
【先行技術文献】
【特許文献】
【０００７】
【特許文献１】特開平１１−９３６８１号公報
【特許文献２】特開２００９−６８３９２号公報
【発明の概要】
【発明が解決しようとする課題】
【０００８】
本発明は、前述の如き課題に対処するために為されたものであり、その目的は、ガス燃料を燃焼室内に直接噴射して燃焼させる直噴ガスエンジンにおいて、航続距離の向上と高負荷時の高効率運転とを両立することにある。
【課題を解決するための手段】
【０００９】
本発明の上記目的は、
ガス燃料を燃焼室内に直接噴射して燃焼させる直噴ガスエンジンであって、
ガス燃料を燃焼室内に直接噴射する噴射手段と、
前記ガス燃料を貯蔵するメインタンク及びサブタンクと、
前記メインタンク及び前記サブタンクの内圧を個別に取得するタンク内圧検出手段と、
前記タンク内圧検出手段によって検出される前記メインタンクの内圧が第１所定圧以上である場合は前記メインタンクから前記噴射手段に前記ガス燃料を供給し、前記タンク内圧検出手段によって検出される前記メインタンクの内圧が前記第１所定圧未満である場合は前記サブタンクから前記噴射手段に前記ガス燃料を供給する燃料供給源切換手段と、
前記タンク内圧検出手段によって検出される前記サブタンクの内圧が第２所定圧未満である場合は、前記メインタンクから前記サブタンクに前記ガス燃料を充填して前記サブタンクの内圧を高める加圧手段と、
を備えること、
を特徴とする、直噴ガスエンジンによって達成される。
【発明の効果】
【００１０】
本発明によれば、ガス燃料を燃焼室内に直接噴射して燃焼させる直噴ガスエンジンにおいて、ガス燃料の消費に伴ってメインタンクの内圧が低下しても、サブタンクからガス燃料を供給することができ、且つサブタンクの内圧は、加圧手段によってメインタンクからサブタンクにガス燃料が充填されることにより所定の圧力以上に維持されるので、航続距離の向上と高負荷時の高効率運転とを両立することができる。
【図面の簡単な説明】
【００１１】
【図１】本発明の１つの実施態様に係る直噴ガスエンジンを含むシステムの概略図である。
【図２】本発明の１つの実施態様に係る直噴ガスエンジンにおいて実行されるガス燃料噴射制御の実行手順の一例を示すフローチャートである。
【図３】本発明のもう１つの実施態様に係る直噴ガスエンジンにおいて実行されるガス燃料噴射制御の実行手順の一例を示すフローチャートである。
【図４】本発明の更にもう１つの実施態様に係る直噴ガスエンジンにおけるタンク内圧警告手段によって実行される、ガス燃料タンクの内圧に関する警告の実行手順の一例を示すフローチャートである。
【図５】本発明の１つの実施態様に係る直噴ガスエンジンにおいて実行されるガス燃料噴射制御における第１所定圧と、エンジン負荷及びエンジン回転数との関係を示す模式図である。
【図６】本発明のもう１つの実施態様に係る直噴ガスエンジンにおいて実行されるガス燃料噴射制御における加圧手段の吐出量と、サブタンクの内圧の時間微分及びサブタンクの内圧との関係を示す模式図である。
【図７】本発明の更にもう１つの実施態様に係る直噴ガスエンジンにおいて実行されるガス燃料噴射制御における加圧手段の吐出量と、エンジン負荷及びエンジン回転数との関係を示す模式図である。
【発明を実施するための形態】
【００１２】
前述のように、本発明は、ガス燃料を燃焼室内に直接噴射して燃焼させる直噴ガスエンジンにおいて、航続距離の向上と高負荷時の高効率運転とを両立することを目的とする。
【００１３】
本発明者は、上記目的を達成すべく鋭意研究の結果、ガス燃料を燃焼室内に直接噴射して燃焼させる直噴ガスエンジンにおいて、ガス燃料の消費に伴ってメインタンクの内圧が低下しても、加圧手段によってメインタンクからサブタンクにガス燃料を充填してサブタンクの内圧を高めることにより、サブタンクからガス燃料を供給することができるので、航続距離の向上と高負荷時の高効率運転とを両立することができることを見出し、本発明を想到するに至ったものである。
【００１４】
即ち、本発明の第１態様は、
ガス燃料を燃焼室内に直接噴射して燃焼させる直噴ガスエンジンであって、
ガス燃料を燃焼室内に直接噴射する噴射手段と、
前記ガス燃料を貯蔵するメインタンク及びサブタンクと、
前記メインタンク及び前記サブタンクの内圧を個別に取得するタンク内圧検出手段と、
前記タンク内圧検出手段によって検出される前記メインタンクの内圧が第１所定圧以上である場合は前記メインタンクから前記噴射手段に前記ガス燃料を供給し、前記タンク内圧検出手段によって検出される前記メインタンクの内圧が前記第１所定圧未満である場合は前記サブタンクから前記噴射手段に前記ガス燃料を供給する燃料供給源切換手段と、
前記タンク内圧検出手段によって検出される前記サブタンクの内圧が第２所定圧未満である場合は、前記メインタンクから前記サブタンクに前記ガス燃料を充填して前記サブタンクの内圧を高める加圧手段と、
を備えること、
を特徴とする、直噴ガスエンジンである。
【００１５】
上記直噴ガスエンジンは、ガス燃料を燃焼室に供給し、同燃焼室において同ガス燃料を燃焼させることにより動力を取り出すエンジンである。同ガス燃料としては、圧縮上死点近傍にてガス燃料を燃焼室内に噴射することにより同噴射されたガス燃料を拡散燃焼させることが可能な種々のガス燃料を使用することができる。即ち、本発明は、種々のガス燃料を用いる直噴ガスエンジンに広く適用することができる。
【００１６】
上記噴射手段は、貯蔵タンクから供給されるガス燃料を同供給されたガス燃料の圧力を利用して燃焼室内に直接噴射するようになっている。即ち、上記噴射手段は、所謂「筒内噴射手段」である。かかる噴射手段は、例えば、指示信号に応答して燃焼室に露呈した噴射口を弁体により開閉し、同噴射口が同弁体により開かれたときに同噴射手段に供給されているガス燃料の圧力により同燃焼室内にガス燃料を噴射するガス燃料噴射弁とすることができる。但し、噴射手段に関する上記説明はあくまでも例示であって、噴射手段の構成は上記説明に限定されるものではない。
【００１７】
上記メインタンク及びサブタンクは、ガス燃料をガス状態にて貯蔵するタンクである。かかるタンクの詳細については、当該技術分野において周知であるので、本明細書中では説明を割愛する。
【００１８】
上記タンク内圧検出手段は、メインタンク及びサブタンクの内圧を個別に取得する。即ち、上記タンク内圧検出手段は、メインタンク及びサブタンクの内部に貯蔵されるガス燃料の圧力をそれぞれのタンク毎に個別に取得する。前述のように、上記噴射手段は、貯蔵タンクから供給されるガス燃料を同供給されたガス燃料の圧力を利用して燃焼室内に直接噴射するようになっていることから、タンク内圧検出手段によって検出される個々のタンク内圧は、個々のタンクから噴射手段に供給されるガス燃料の圧力に対応する圧力となる。
【００１９】
尚、上記タンク内圧検出手段は、例えば、メインタンク及びサブタンクの各々に設けられる圧力センサ（例えば、静電容量方式の圧力センサ）を含む構成とすることができる。この場合、上記圧力センサは各々のタンク内のガス燃料の圧力（タンク内圧）に対応する信号を発生するので、例えば、同圧力センサを電子制御装置に接続して、同電子制御装置による種々の制御に利用することができる。因みに、電子制御装置とは、例えば、ＣＰＵ、ＲＯＭ、ＲＡＭ、不揮発性メモリ及びインターフェースを含む周知のマイクロコンピュータを主体とする電子装置を指す。但し、タンク内圧検出手段に関する上記説明はあくまでも例示であって、タンク内圧検出手段の構成は上記説明に限定されるものではない。
【００２０】
上記燃料供給源切換手段は、タンク内圧検出手段によって検出されるメインタンクの内圧が第１所定圧以上である場合はメインタンクから噴射手段にガス燃料を供給し、タンク内圧検出手段によって検出されるメインタンクの内圧が第１所定圧未満である場合はサブタンクから噴射手段にガス燃料を供給する。
【００２１】
尚、上記第１所定圧とは、メインタンクの内部に貯蔵されるガス燃料を拡散燃焼に好適な噴射タイミングにて燃焼室内に噴射するのに十分に高い圧力として規定することができる。より具体的には、上記第１所定圧は、酸素や作動ガスを含むガスが燃焼室内にて圧縮されている高圧縮状態にある期間内の所定の時期にガス燃料を燃焼室内に噴射する所謂「高圧噴射」（「圧縮行程噴射」とも称する）を行ってガス燃料を燃焼室内において拡散燃焼させるのに十分に高い圧力を噴射手段において達成し得る圧力として規定することができる。
【００２２】
即ち、上記燃料供給源切換手段は、メインタンクの内圧が拡散燃焼に好適な噴射タイミングにてガス燃料を燃焼室内に噴射するのに十分に高い場合には、メインタンクから噴射手段にガス燃料を供給し、メインタンクの内圧が拡散燃焼に好適な噴射タイミングにてガス燃料を燃焼室内に噴射するのに不十分である場合には、サブタンクから噴射手段にガス燃料を供給する。
【００２３】
尚、上記燃料供給源切換手段は、例えば、メインタンク及びサブタンクから噴射手段へガス燃料を供給するガス通路（以降、単に「ガス燃料供給路」とも称する）、並びに同ガス燃料供給路上に設けられた遮断弁を含む構成とすることができる。この場合、例えば、上記遮断弁の開閉により、噴射手段へのガス燃料の供給源をメインタンク又はサブタンクの何れかに切り換えることができる。かかる遮断弁の制御は、例えば、タンク内圧検出手段によって検出されるメインタンクの内圧に対応する信号を受け、同信号に基づいて、メインタンクの内圧と第１所定圧とを比較し、同比較の結果に基づいて、遮断弁の開閉状態を制御するように構成された電子制御装置によって実現することができる。但し、燃料供給源切換手段に関する上記説明はあくまでも例示であって、燃料供給源切換手段の構成は上記説明に限定されるものではない。
【００２４】
ところで、上記のように、燃料供給源切換手段は、タンク内圧検出手段によって検出されるメインタンクの内圧が第１所定圧未満である場合はサブタンクから噴射手段にガス燃料を供給する。つまり、この場合は、ガス燃料の消費等の理由によりメインタンクの内圧が低下しているにもかかわらず、サブタンクの内圧は、上述の高圧噴射を行ってガス燃料を燃焼室内において拡散燃焼させるのに十分に高い圧力を噴射手段において達成し得る圧力に維持される必要がある。
【００２５】
従って、上記加圧手段は、タンク内圧検出手段によって検出されるサブタンクの内圧が第２所定圧未満である場合は、メインタンクからサブタンクにガス燃料を充填してサブタンクの内圧を高める。
【００２６】
尚、上記第２所定圧とは、上述の第１所定圧と同様に、サブタンクの内部に貯蔵されるガス燃料を拡散燃焼に好適な噴射タイミングにて燃焼室内に噴射するのに十分に高い圧力として規定することができる。より具体的には、上記第２所定圧は、上述の第１所定圧と同様に、高圧噴射を行ってガス燃料を燃焼室内において拡散燃焼させるのに十分に高い圧力を噴射手段において達成し得る圧力として規定することができる。
【００２７】
即ち、上記加圧手段は、タンク内圧検出手段によって検出されるサブタンクの内圧が、高圧噴射を行ってガス燃料を燃焼室内において拡散燃焼させるのに十分に高い圧力を噴射手段において達成し得る圧力よりも低い場合は、メインタンクからサブタンクにガス燃料を充填してサブタンクの内圧を高める。これにより、サブタンクの内圧は、上述の高圧噴射を行ってガス燃料を燃焼室内において拡散燃焼させるのに十分に高い圧力を噴射手段において達成し得る圧力に維持される。
【００２８】
尚、上記加圧手段は、例えば、メインタンクからサブタンクへガス燃料を供給するガス通路（以降、単に「ガス燃料加圧路」とも称する）、及び同ガス燃料加圧路上に設けられた加圧装置（例えば、ガスコンプレッサ等）を含む構成とすることができる。また、上記ガス燃料加圧路は、メインタンクとサブタンクとを接続する独立したガス通路であっても、メインタンクに接続される前述のガス燃料供給路とサブタンクに接続される前述のガス燃料供給路とをバイパスするように設けられたガス通路であってもよい。あるいは、加圧装置の作動により、メインタンクからサブタンクへガス燃料を供給し、サブタンク内にガス燃料を充填して、サブタンクの内圧を高めることができる限り、ガス燃料加圧路は、これら以外の如何なる構成を有していてもよい。
【００２９】
かかる加圧装置の制御は、例えば、タンク内圧検出手段によって検出されるサブタンクの内圧に対応する信号を受け、同信号に基づいて、サブタンクの内圧と第２所定圧とを比較し、同比較の結果に基づいて、加圧装置の作動状態を制御するように構成された電子制御装置によって実現することができる。但し、加圧手段に関する上記説明はあくまでも例示であって、加圧手段の構成は上記説明に限定されるものではない。
【００３０】
上記構成により、本発明の第１態様に係る直噴ガスエンジンおいては、燃料供給源切換手段により、メインタンクの内圧が拡散燃焼に好適な噴射タイミングにてガス燃料を燃焼室内に噴射するのに十分に高い場合には、メインタンクから噴射手段にガス燃料が供給され、メインタンクの内圧が拡散燃焼に好適な噴射タイミングにてガス燃料を燃焼室内に噴射するのに不十分である場合には、サブタンクから噴射手段にガス燃料が供給される。加えて、サブタンクの内圧が拡散燃焼に好適な噴射タイミングにてガス燃料を燃焼室内に噴射するのに不十分である場合には、加圧手段により、メインタンクからサブタンクにガス燃料が充填され、サブタンクの内圧が高められ、上述の高圧噴射を行ってガス燃料を燃焼室内において拡散燃焼させるのに十分に高い圧力を噴射手段において達成し得る圧力に維持される。
【００３１】
斯くして、本発明の第１態様に係る直噴ガスエンジンによれば、ガス燃料を燃焼室内に直接噴射して燃焼させる直噴ガスエンジンにおいて、ガス燃料の消費に伴ってメインタンクの内圧が低下しても、サブタンクからガス燃料を供給することによって高圧噴射を持続することができ、且つサブタンクの内圧は、加圧手段によってメインタンクからサブタンクにガス燃料が充填されることにより所定の圧力以上に維持されるので、航続距離の向上と高負荷時の高効率運転とを両立することができる。
【００３２】
ところで、前述のように、上記ガス燃料としては、圧縮上死点近傍にてガス燃料を燃焼室内に噴射することにより同噴射されたガス燃料を拡散燃焼させることが可能である限り、種々のガス燃料を使用することができる。具体的には、上記ガス燃料としては、例えば、水素、天然ガス等を挙げることができる。
【００３３】
概して、拡散燃焼させることが可能なガス燃料を通常の火花点火燃焼（火炎伝播による燃焼）により燃焼させると、ノッキング等の異常燃焼が発生する傾向が強い。従って、これらの燃料を通常の火花点火燃焼によって燃焼させようとする場合は、点火時期を比較的遅角側の点火時期に設定せざるを得ず、結果として、エンジンの熱効率が低下する。かかる傾向は、水素をガス燃料として使用する場合に特に著しい。従って、水素をガス燃料として使用する場合は、水素を圧縮上死点近傍にて噴射（高圧噴射）して拡散燃焼させることが望ましい。
【００３４】
一方、本発明の前記第１態様に係る直噴ガスエンジンにおいては、前述のように、ガス燃料の消費に伴ってメインタンクの内圧が低下しても、サブタンクからガス燃料を供給することによって高圧噴射を持続することができる。つまり、本発明の前記第１態様に係る直噴ガスエンジンは、通常の火花点火燃焼においては種々のガス燃料の中でも特に異常燃焼を起こし易い水素を燃料として使用するのに、より好適なエンジンであると言うことができる。
【００３５】
従って、本発明の第２態様は、本発明の前記第１態様に係る直噴ガスエンジンであって、前記ガス燃料が水素であることを特徴とする、直噴ガスエンジンである。
【００３６】
尚、上記のように水素をガス燃料として使用する場合は、エンジンの燃焼室内で水素が燃焼して生ずる結果物（燃焼生成物）は水（Ｈ２Ｏ）である。従って、水素をガス燃料として使用することは、環境保護の観点からも望ましい。
【００３７】
ところで、前述のように、アルゴンガス等の単原子分子からなるガス（単原子分子ガス、不活性ガス）を作動ガスとすると、単原子分子ガスの比熱比は空気に比べて非常に大きいので、空気を作動ガスとする場合に比べて燃焼室内の温度は非常に高くなり、エンジンの熱効率が非常に高くなる。また、上記のように不活性ガスを作動ガスとすると、空気を作動ガスとするエンジンにおいて問題視されている窒素酸化物（ＮＯｘ）が排出されないので、不活性ガスを作動ガスとすることもまた、環境保護の観点からも望ましい。本発明は、上記のように不活性ガスを作動ガスとするエンジンにも適用可能であり、更には、特許文献２に記載されているような作動ガス循環型エンジンにも適用可能である。
【００３８】
本発明の前記第１態様に係る直噴ガスエンジンにおいては、前述のように、ガス燃料の消費に伴ってメインタンクの内圧が低下した際にサブタンクからガス燃料を供給することによって高圧噴射を持続するために、サブタンクの内圧が第２所定圧未満である場合は、加圧手段がメインタンクからサブタンクにガス燃料を充填してサブタンクの内圧を高め、ガス燃料の高圧噴射が可能な圧力にサブタンクの内圧を維持する。
【００３９】
しかしながら、ガス燃料の消費が更に進み、メインタンクの内圧が著しく低下すると、加圧手段によるメインタンクからサブタンクへのガス燃料の充填が著しく困難となり、サブタンクの内圧を第２所定圧以上に維持するには加圧手段の作動に必要とされる動力が過大になったり、更にはサブタンクの内圧を第２所定圧以上に維持することが実質的に不可能になったりする。つまり、メインタンクの内圧が所定の圧力未満に低下した場合は、加圧手段によるサブタンクの加圧を効率良く行うことができなくなる虞がある。
【００４０】
そこで、本発明の第３態様は、本発明の前記第１態様又は第２態様の何れかに係る直噴ガスエンジンであって、前記タンク内圧検出手段によって検出される前記メインタンクの内圧が前記第１所定圧よりも低い第３所定圧未満である場合は前記加圧手段の作動を停止する加圧停止手段を更に備えることを特徴とする、直噴ガスエンジンである。
【００４１】
上記加圧停止手段は、タンク内圧検出手段によって検出されるメインタンクの内圧が第３所定圧未満である場合は加圧手段の作動を停止する。かかる加圧手段の作動制御は、例えば、タンク内圧検出手段によって検出されるメインタンクの内圧に対応する信号を受け、同信号に基づいて、メインタンクの内圧と第３所定圧とを比較し、同比較の結果に基づいて、加圧手段の作動状態を制御するように構成された電子制御装置によって実現することができる。但し、加圧停止手段に関する上記説明はあくまでも例示であって、加圧停止手段の構成は上記説明に限定されるものではない。
【００４２】
尚、上記第３所定圧とは、加圧手段が、メインタンクの内部に貯蔵されるガス燃料をサブタンクに充填することによって、高圧噴射を行ってガス燃料を燃焼室内において拡散燃焼させるのに十分に高い圧力を噴射手段において達成し得る圧力（第２所定圧）以上の圧力にサブタンクの内圧を効率良く維持することが可能な、メインタンクの内圧の最小値として規定することができる。従って、第３所定圧は、前述の第１所定圧よりも低い圧力として設定される。
【００４３】
逆に言うと、メインタンクの内圧が第３所定圧未満にまで低下している場合は、加圧手段を作動させても、サブタンクの内圧を高圧噴射が可能な圧力まで効率良く高めることがもはやできない。即ち、かかる状況下において加圧手段を作動させることは限られた動力を無駄に浪費することに他ならない。
【００４４】
一方、本発明の第３態様に係る直噴ガスエンジンにおいては、メインタンクの内圧が第３所定圧未満にまで低下している場合は、加圧停止手段により、加圧手段の作動が停止されるので、上記のような動力の浪費を抑制することができる。
【００４５】
上記のように、本発明の前記第１態様乃至第３態様の何れかに係る直噴ガスエンジンにおいては、ガス燃料の消費に伴ってメインタンクの内圧が低下しても、サブタンクからガス燃料を供給することができ、且つサブタンクの内圧は、加圧手段によってメインタンクからサブタンクにガス燃料が充填されることにより所定の圧力以上に維持されるので、メインタンクやサブタンク内に使用されずに残るガス燃料の量を抑制しつつ且つ高圧噴射に必要なガス燃料の圧力を維持しつつ、ガス燃料を効率良く使用することにより、航続距離の向上と高負荷時の高効率運転とを両立することができる。
【００４６】
しかしながら、このままガス燃料が補給されなければ、本発明の前記第１態様乃至第３態様の何れかに係る直噴ガスエンジンにおいても、いずれは高圧噴射に必要なガス燃料の圧力を維持することができなくなり、エンジンが停止する事態を避けることができない。また、上記のようにエンジンが停止することによってガス燃料の欠乏を運転者が認識することはできるが、この時点ではエンジンが既に停止しているため、同エンジンを搭載した乗り物（例えば、車両等）をガス燃料の補給が可能な地点（例えば、ガス燃料スタンド等）に移動させることは困難であり、これ以上航行を続けることは実質的に不可能となる。かかる事態を回避するためには、ガス燃料の消費状況（貯蔵状況）を運転者に認識させることが重要である。
【００４７】
従って、本発明の第４態様は、本発明の前記第１態様乃至第３態様の何れかに係る直噴ガスエンジンであって、前記タンク内圧検出手段によって検出される前記メインタンクの内圧が前記第１所定圧未満である場合は第１警告を発し、前記タンク内圧検出手段によって検出される前記メインタンクの内圧が前記第３所定圧未満である場合は第２警告を発し、前記タンク内圧検出手段によって検出される前記サブタンクの内圧が前記第２所定圧未満である場合は第３警告を発する、タンク内圧警告手段を更に備えることを特徴とする、直噴ガスエンジンである。
【００４８】
上記構成によれば、上記タンク内圧警告手段により、タンク内圧検出手段によって検出されるメインタンクの内圧が第１所定圧未満である場合は第１警告が発せられ、タンク内圧検出手段によって検出されるメインタンクの内圧が第３所定圧未満である場合は第２警告が発せられ、タンク内圧検出手段によって検出されるサブタンクの内圧が第２所定圧未満である場合は第３警告が発せられる。
【００４９】
即ち、第１警告が発せられることにより、メインタンク内に貯蔵されたガス燃料が減少してメインタンクの内圧が第１所定圧未満にまで低下したために、メインタンクからのガス燃料の供給が停止され、代わりにサブタンクからのガス燃料の供給が開始されたことを運転者が認識することができる。尚、サブタンクからガス燃料を供給するに当たっては、サブタンクの内圧は、加圧手段によって、高圧噴射を実現し得る所定の圧力に維持される。従って、この時点でガス燃料が補給され、メインタンクの内圧が十分に上昇すれば、加圧手段が停止されて、メインタンクから噴射手段へのガス燃料の供給が再開され、加圧手段の作動に動力を割くこと無く、高い効率にてエンジンを運転することができることを運転者は認識することができる。
【００５０】
一方、第１警告が発せられてもガス燃料が補給されない場合は、メインタンク内に貯蔵されたガス燃料が加圧手段によってサブタンクに充填され、サブタンクから噴射手段に供給されるので、メインタンクの内圧は更に低下し、やがては第３所定圧未満にまで低下する。この際、上記タンク内圧警告手段によって第２警告が発せられるので、加圧手段によるメインタンクからサブタンクへのガス燃料の充填が停止したことを運転者が認識することができる。従って、遠からずサブタンクの内圧が第２所定圧未満にまで低下し、エンジンが停止するであろうことを運転者が認識することができる。
【００５１】
更に、上記のように第２警告が発せられてもガス燃料が補給されない場合は、サブタンクの内圧が第２所定圧未満にまで低下し、上記タンク内圧警告手段によって第３警告が発せられる。これにより、サブタンクの内圧が既に第２所定圧未満にまで低下しており、間も無くエンジンが停止するであろうことを運転者が認識することができる。
【００５２】
尚、上記タンク内圧警告手段は、例えば、前述のタンク内圧検出手段の構成に関する説明において言及された電子制御装置に接続されて、タンク内圧検出手段から受信される信号に基づいて、同電子制御装置の制御によって警告を発するように構成された警告手段であってもよい。また、上記タンク内圧警告手段が発する警告は、特定の方法によるものに限定される必要は無く、例えば、運転者の視覚や聴覚に訴える方法（例えば、警告ランプ、アラーム音、音声等）であってもよい。但し、タンク内圧警告手段に関する上記説明はあくまでも例示であって、タンク内圧警告手段の構成は上記説明に限定されるものではない。
【００５３】
ところで、本発明に係る直噴ガスエンジンが搭載される乗り物は、そのタイプ（車両、船舶、航空機等）にかかわらず、居住性や経済性等の観点から、同乗り物の構成要素については、小型化・軽量化の要請が常に存在するのが一般的である。従って、前述の加圧手段の最大吐出圧力やサブタンクの許容圧力を徒に高く設計することは、これらの構成要素の大型化・重量化を招くので望ましくない。
【００５４】
従って、本発明の第５態様は、本発明の前記第１態様乃至第４態様の何れかに係る直噴ガスエンジンであって、外部からのガス燃料の充填が前記メインタンクのみに対して行われること、並びに前記加圧手段の最大吐出圧力及び前記サブタンクの許容圧力が、前記メインタンクに対する外部からのガス燃料の充填圧よりも低いことを特徴とする、直噴ガスエンジンである。
【００５５】
仮に、加圧手段の最大吐出圧力及びサブタンクの許容圧力を、メインタンクに対する外部からのガス燃料の充填圧よりも高くしようとする場合、メインタンクに充填されるガス燃料の充填圧よりも更に高い圧力でガス燃料をサブタンクに充填することが必要となるため、加圧手段の出力は、より高いことが求められ、結果として大型の加圧手段を導入せざるを得なくなる。また、かかる高圧のガス燃料を貯蔵するサブタンクの許容圧力もまた、より高いことが求められ、結果として壁厚の厚い重厚なサブタンクを導入せざるを得なくなる。
【００５６】
一方、本発明の第５態様に係る直噴ガスエンジンにおいては、外部からのガス燃料の充填がメインタンクのみに対して行われ、且つ加圧手段の最大吐出圧力及びサブタンクの許容圧力が、メインタンクに対する外部からのガス燃料の充填圧よりも低いので、上記のような高出力の加圧手段や重厚なサブタンクは不要である。これにより、本発明に係る直噴ガスエンジンが搭載される乗り物の構成要素に対する小型化・軽量化の要請に応えることがより容易となるので望ましい。
【００５７】
前述のように、本発明に係る直噴ガスエンジンにおいては、メインタンクの内圧が第１所定圧以上であるか否かに応じて、噴射手段へのガス燃料の供給源をメインタンクとするかサブタンクとするかが切り換えられる。また、第１所定圧は、前述のように、酸素や作動ガスを含むガスが燃焼室内にて圧縮されている高圧縮状態にある期間内の所定の時期にガス燃料を燃焼室内に噴射する所謂「高圧噴射」（「圧縮行程噴射」とも称する）を行ってガス燃料を燃焼室内において拡散燃焼させるのに十分に高い圧力を噴射手段において達成し得る圧力として規定することができる。
【００５８】
しかしながら、上記圧縮行程噴射を行い得る圧力は、エンジンの運転状況（例えば、エンジンの負荷や回転数等）に応じて変化することが知られている。例えば、エンジンの運転状況が低回転又は軽負荷である場合は、高回転且つ重負荷である場合と比較して、より低い圧力において上記圧縮行程噴射を行い得る。従って、噴射手段へのガス燃料の供給源をメインタンクとするかサブタンクとするかの判断基準としての、メインタンクの内圧の閾値である第１所定圧は、特定の固定値とするのではなく、エンジンの運転状況に応じて変動する値とすることがより望ましい。
【００５９】
従って、本発明の第６態様は、本発明の前記第１態様乃至第５態様の何れかに係る直噴ガスエンジンであって、エンジンの負荷及び回転数を検出するエンジン運転状況検出手段と、前記エンジン運転状況検出手段によって検出されるエンジンの負荷及び回転数に基づいて前記第１所定圧を変更する第１所定圧変更手段と、を更に備えることを特徴とする、直噴ガスエンジンである。
【００６０】
上記エンジン運転状況検出手段は、例えば、アクセルペダルの踏み込み量（アクセル踏み込み量）を検出するためのアクセルセンサ、エンジンの吸気通路に設けられたスロットルバルブの開度（スロットル開度）を検出するためのスロットルセンサ、吸気通路を通過する空気の量（通路空気量）を検出するための空気量センサ、及びクランクシャフトの回転速度（エンジン回転数）及び回転角（クランク角）を検出するためのクランクセンサ等が接続された電子制御装置を含む構成とすることができる。
【００６１】
上記の場合、上記エンジン運転状況検出手段は、例えば、アクセル踏み込み量、スロットル開度、及び通路空気量から求められるエンジンの吸入空気量とエンジン回転数とに基づいてエンジンの負荷を算出することができる。また、上記のように、クランクセンサによって検出されるクランクシャフトの回転速度からエンジンの回転数を検出することができる。但し、エンジン運転状況検出手段に関する上記説明はあくまでも例示であって、エンジン運転状況検出手段の構成は上記説明に限定されるものではない。
【００６２】
上記第１所定圧変更手段は、上記のようにして検出されるエンジンの負荷及び回転数に基づいて第１所定圧を変更する。より具体的には、上記第１所定圧変更手段においては、酸素や作動ガスを含むガスが燃焼室内にて圧縮されている高圧縮状態にある期間内の所定の噴射時期における燃焼室内の圧力（筒内圧）をエンジンの負荷及び回転数等と関連付けて予め測定して、（例えば、電子制御装置が備える記憶装置に）テーブルとして記憶させておき、上記のようにして検出されるエンジンの負荷及び回転数と同記憶されたテーブルとに基づいて、第１所定圧を変更することができる。但し、第１所定圧変更手段に関する上記説明はあくまでも例示であって、第１所定圧変更手段の構成は上記説明に限定されるものではない。
【００６３】
上記により、噴射手段へのガス燃料の供給源をメインタンクとするかサブタンクとするかの判断基準としての、メインタンクの内圧の閾値である第１所定圧は、特定の固定値としてではなく、エンジンの運転状況に応じて変動する値として設定される。本実施態様に係る直噴ガスエンジンにおいて実行されるガス燃料噴射制御における第１所定圧と、エンジン負荷及びエンジン回転数との関係の一例を図５に模式的に示す。
【００６４】
図５に示すように、第１所定圧変更手段は、例えば、前述のように、エンジンの運転状況が低回転又は軽負荷である場合は、高回転且つ重負荷である場合と比較して、より低い圧力において上記圧縮行程噴射を行い得るので、第１所定圧をより低く設定する。これにより、加圧手段の作動を伴うサブタンクからのガス燃料供給への切り換えを遅らせ、メインタンクから噴射手段にガス燃料を直接供給する期間を延ばすことができる。その結果、加圧手段を作動させる機会を低減することができるので、高い効率にてエンジンを運転することができる。
【００６５】
ところで、前述のように、本発明に係る直噴ガスエンジンにおいては、メインタンクの内圧が第１所定圧未満である場合はサブタンクから噴射手段にガス燃料が供給されると共に、サブタンクの内圧が第２所定圧未満である場合は、加圧手段によってメインタンクからサブタンクにガス燃料が充填され、サブタンクの内圧が高められる。
【００６６】
この際、加圧手段の吐出量が小さ過ぎると、サブタンクの内圧が第２所定圧に到達するのに要する時間が長くなり、サブタンクから供給されるガス燃料の高圧噴射を速やかに実現することが困難となる。逆に、加圧手段の吐出量が大き過ぎると、サブタンクの内圧が第２所定圧の上下でハンチングするようになり、サブタンクから供給されるガス燃料の高圧噴射を安定に実現することが困難となる。
【００６７】
従って、サブタンクから供給されるガス燃料の高圧噴射を迅速且つ安定に実現するためには、加圧手段の吐出量を適切に調整することが望ましい。具体的には、サブタンクから供給されるガス燃料の高圧噴射を迅速且つ安定に実現するためには、サブタンクの内圧に基づいて、加圧手段の吐出量を適切に調整することが望ましい。
【００６８】
上記観点から、本発明の第７態様は、本発明の前記第１態様乃至第６態様の何れかに係る直噴ガスエンジンであって、前記タンク内圧検出手段によって検出される前記サブタンクの内圧に応じて前記加圧手段の吐出量を変更する吐出量変更手段を更に備えることを特徴とする、直噴ガスエンジンである。
【００６９】
上記構成によれば、例えば、サブタンクの内圧が小さい程、加圧手段の吐出量を大きくしたり、又はサブタンクの内圧の時間微分が小さい程（即ち、サブタンクの内圧の低下の程度が大きい程）、加圧手段の吐出量を大きくしたりすることによって、サブタンクの内圧を第２所定圧近傍に適確に維持することができるので、高負荷運転に必要な高圧噴射を迅速且つ安定に実現することができる。
【００７０】
本実施態様に係る直噴ガスエンジンにおいて実行されるガス燃料噴射制御における加圧手段の吐出量と、サブタンクの内圧の時間微分及びサブタンクの内圧との関係の一例を図６に模式的に示す。図６に示すように、サブタンクの内圧が小さい程、又はサブタンクの内圧の時間微分が小さい程、加圧手段の吐出量を大きくすることが望ましい。
【００７１】
尚、加圧手段の吐出量は、単純な方法としては、ある時点でのサブタンクの内圧と第２所定圧との差から導かれるガス燃料の充填必要量を、サブタンクの内圧を第２所定圧に到達させるまでにかかる期間として許容可能な期間で割ることによって求めることができる。但し、現実には、サブタンクと噴射手段との間のガス燃料供給路の長さや太さ、途中に設けられるサージタンクの容量等の設計上の各種要因等を考慮して、種々の修正を加えることができる。
【００７２】
また、上記吐出量変更手段は、例えば、タンク内圧検出手段によって検出されるサブタンクの内圧又は同内圧の時間微分に基づいて、上述のように加圧手段の吐出量を算出するように構成された電子制御装置を含む構成とすることができる。但し、上記吐出量変更手段に関する上記説明はあくまでも例示であって、上記吐出量変更手段の構成は上記説明に限定されるものではない。
【００７３】
ところで、本発明の第７態様に係る直噴ガスエンジンにおける上記吐出量変更手段による加圧手段の吐出量の変更は、サブタンクの内圧又は同内圧の時間微分に応じて、言わば「フィードバック的」に行うものである。一方、サブタンクから供給されるガス燃料の高圧噴射をより迅速且つ安定に実現するには、加圧手段の吐出量を「フィードフォワード的」に変更することがより望ましい。
【００７４】
即ち、吐出量変更手段が、例えば、ある時点でのエンジンの負荷及び回転数に基づいて、加圧手段の吐出量を変更するように構成されていてもよい。より具体的には、吐出量変更手段が、エンジンの負荷が高い程、又はエンジンの回転数が高い程、加圧手段の吐出量を増やすように構成されていてもよい。
【００７５】
従って、本発明の第８態様は、本発明の前記第１態様乃至第６態様の何れかに係る直噴ガスエンジンであって、エンジンの負荷及び回転数を検出するエンジン運転状況検出手段と、前記エンジン運転状況検出手段によって検出されるエンジンの負荷及び回転数に基づいて前記加圧手段の吐出量を変更する吐出量変更手段と、を更に備えることを特徴とする、直噴ガスエンジンである。
【００７６】
上記エンジン運転状況検出手段の構成等については、本発明の第６態様に係る直噴ガスエンジンに関する説明において既に述べたものと同様であるので、ここでは説明は割愛する。但し、エンジン運転状況検出手段に関する前述の説明はあくまでも例示であって、エンジン運転状況検出手段の構成は前述の説明に限定されるものではない。
【００７７】
上記吐出量変更手段は、上記エンジン運転状況検出手段によって検出されるエンジンの負荷及び回転数に基づいて加圧手段の吐出量を変更する。より具体的には、上記吐出量変更手段は、例えば、上記エンジン運転状況検出手段によって検出されるエンジンの負荷及び回転数に基づいてガス燃料の消費速度を算出し、サブタンクの内圧が第２所定圧未満にまで低下することのないように加圧手段の吐出量を制御するように構成された電子制御装置を含む構成とすることができる。但し、吐出量変更手段に関する上記説明はあくまでも例示であって、吐出量変更手段の構成は上記説明に限定されるものではない。
【００７８】
本実施態様に係る直噴ガスエンジンにおいて実行されるガス燃料噴射制御における加圧手段の吐出量と、エンジン負荷及びエンジン回転数との関係を図７に模式的に示す。図７に示すように、エンジンの負荷が高い程、又はエンジンの回転数が高い程、加圧手段の吐出量を増やすことが望ましい。
【００７９】
上記構成により、本実施態様に係る直噴ガスエンジンにおいては、吐出量変更手段による加圧手段の吐出量の変更が「フィードフォワード的」に行われるので、サブタンクの内圧を第２所定圧に維持する際の応答遅れを抑制することができ、サブタンクから供給されるガス燃料の高圧噴射をより一層迅速且つ安定に実現することができる。
【００８０】
以上のように、本発明によれば、ガス燃料を燃焼室内に直接噴射して燃焼させる直噴ガスエンジンにおいて、ガス燃料の消費に伴ってメインタンクの内圧が低下しても、サブタンクからガス燃料を供給することができ、且つサブタンクの内圧は、加圧手段によってメインタンクからサブタンクにガス燃料が充填されることにより所定の圧力以上に維持されるので、航続距離の向上と高負荷時の高効率運転とを両立することができる。
【００８１】
以下、本発明の種々の実施態様に係る直噴ガスエンジンにつき、添付図面を参照しつつ説明する。但し、以下に述べる説明はあくまで例示を目的とするものであり、本発明の範囲が以下の説明に限定されるものと解釈されるべきではない。
【００８２】
前述のように、図１は、本発明の１つの実施態様に係る直噴ガスエンジンを含むシステムの概略図である。このシステムは、直噴ガスエンジン１０、メインタンク２１、サブタンク２２、圧力センサ３１、圧力センサ３２、遮断弁４１、遮断弁４２、加圧装置５１等を備えている。
【００８３】
尚、図１は、エンジン１０の特定気筒の断面、並びに同特定気筒に接続された吸気ポート及び排気ポートの断面等を示しているが、同エンジンが複数の気筒を備える場合は、他の気筒も同様の構成を備えることができる。
【００８４】
エンジン１０は、シリンダヘッドと、シリンダと、シリンダ内において往復運動するピストン１３と、クランク軸と、ピストン１３とクランク軸とを連結しピストン１３の往復運動をクランク軸の回転運動に変換するためのコネクティングロッドと、シリンダブロックに連接されたオイルパンとを備えるピストン往復動型エンジンである。通常は、ピストン１３の側面にはピストンリング（図示せず）が配設されている。
【００８５】
シリンダヘッド、シリンダ及びオイルパンから形成される空間は、ピストン１３により、ピストン１３の頂面側の燃焼室１２と、クランク軸を収容するクランクケースとに区画されている。また、シリンダヘッドには、燃焼室１２に連通した吸気ポートと、燃焼室１２に連通した排気ポートとが形成されている。
【００８６】
吸気ポート及び排気ポートには吸気ポート及び排気ポートを開閉するための吸気弁及び排気弁がそれぞれ配設されている。これらの吸気弁及び排気弁の作動機構等については当業者に周知であるので、本明細書においては説明を割愛する。また、これらの弁のうち、少なくとも一部が、開弁時期及び閉弁時期を変更することができる所謂「可変動弁装置」であってもよい。
【００８７】
シリンダヘッドには、ガス燃料を燃焼室１２内に噴射するための噴射弁１１が配設されている。噴射弁１１は、燃焼室に露呈した噴射口（噴孔）、弁体及び電磁式弁体駆動装置等を備えた周知の電磁開閉式ガス噴射弁である。噴射弁１１は指示信号に応答して電磁式弁体駆動装置によって弁体を駆動することにより噴射口を開閉する。噴射弁１１は、噴射口が弁体により開かれたとき、噴射弁１１に供給されているガス燃料の圧力によりガス燃料を燃焼室１２内（筒内）に直接噴射する。この際の噴射弁１１近傍におけるガス燃料の流れが、図１中の矢印Ｆによって示されている。
【００８８】
メインタンク２１は、燃料としてのガス燃料（例えば、水素）を高圧状態にて貯蔵するガス燃料貯蔵タンクである。メインタンク２１は、ガス通路（管）によって噴射弁１１と連通されている。ガス通路には、メインタンク２１から噴射弁１１に向かう順に、遮断弁４１、ガス燃料圧レギュレータ７１、及びサージタンク７２が介装されている。また、メインタンク２１には、外部からガス燃料を充填するための充填口６１からメインタンク２１に連通するガス通路も設けられている。
【００８９】
サブタンク２２もまた、燃料としてのガス燃料（例えば、水素）を高圧状態にて貯蔵するガス燃料貯蔵タンクである。サブタンク２２もまた、ガス通路（管）によって噴射弁１１と連通されている。ガス通路には、サブタンク２２から噴射弁１１に向かう順に、遮断弁４２、ガス燃料圧レギュレータ７１、及びサージタンク７２が介装されている。即ち、図１に記載されているシステムにおいては、サブタンク２２から噴射弁１１に向かうガス通路は、遮断弁４１とレギュレータ７１との間の部分において、メインタンク２１から噴射弁１１に向かうガス通路と合流する形態をとっている。
【００９０】
レギュレータ７１としては、周知のプレッシャレギュレータを使用することができる。レギュレータ７１は、メインタンク２１又はサブタンク２２から供給されるガス燃料の圧力がレギュレータ７１の設定圧力よりも高い場合、レギュレータ７１よりも下流（サージタンク７２側）におけるガス通路内のガス燃料の圧力を設定圧力にまで減圧・調整するように構成されている。一方、メインタンク２１又はサブタンク２２から供給されるガス燃料の圧力が設定圧力よりも低い場合、レギュレータ７１は、レギュレータ７１よりも下流におけるガス通路内のガス燃料の圧力をメインタンク２１又はサブタンク２２から供給されるガス燃料の圧力と等しくするように構成されている。尚、設定圧力は前述の高圧噴射を実行可能な圧力（例えば、１０ＭＰａ程度）である。
【００９１】
また、メインタンク２１及びサブタンク２２には、タンク内に貯蔵されるガス燃料の圧力を検出する圧力センサ３１及び３２がそれぞれ設けられている。圧力センサ３１及び３２は、それぞれメインタンク２１及びサブタンク２２の内圧（ガス燃料の圧力）に対応して発生する信号を、前述の電子制御装置（図示せず）に伝えるように構成されている。
【００９２】
更に、図１に記載されているシステムにおいては、メインタンク２１からサブタンク２２へと連通するガス通路が別途設けられている。このガス通路には、メインタンク２１からサブタンク２２に向かう順に、加圧装置５１及び遮断弁５２が介装されている。但し、前述のように、加圧装置５１の配置箇所は上記に限定されるものではなく、例えば、メインタンク２１から噴射弁１１に向かうガス通路とサブタンク２２から噴射弁１１に向かうガス通路との合流箇所に三方弁を設け、同三方弁と遮断弁４１とを連通するガス通路と同三方弁と遮断弁４２とを連通するガス通路とをバイパスするガス通路を新たに設け、この新たに設けられたガス通路に加圧装置５１を介装してもよい。
【００９３】
尚、上記加圧装置５１、遮断弁５２、並びに遮断弁４１及び４２等の動作は、前述の電子制御装置（図示せず）によって制御されている。具体的には、本実施態様に係る直噴ガスエンジンにおいては、圧力センサ３１によって検出されるメインタンク２１の内圧が第１所定圧Ｐ１以上である場合はメインタンク２１から噴射弁１１にガス燃料が供給され、圧力センサ３１によって検出されるメインタンク２１の内圧が第１所定圧Ｐ１未満である場合はサブタンク２２から噴射弁１１にガス燃料が供給され、且つ圧力センサ３２によって検出されるサブタンク２２の内圧が第２所定圧Ｐ２未満である場合はメインタンク２１からサブタンク２２にガス燃料を充填してサブタンク２２の内圧を高めるように加圧装置５１が作動される。
【００９４】
尚、第１所定圧Ｐ１及び第２所定圧Ｐ２は、前述のように、それぞれメインタンク２１及びサブタンク２２の内部に貯蔵されるガス燃料を拡散燃焼に好適な噴射タイミングにて燃焼室内に噴射するのに十分に高い圧力として規定することができる。より具体的には、第１所定圧Ｐ１及び第２所定圧Ｐ２は、高圧噴射を行ってガス燃料を燃焼室内において拡散燃焼させるのに十分に高い圧力を上記噴射手段において達成し得るメインタンク２１及びサブタンク２２の各々の内圧の最小値として規定することができる。
【００９５】
上記ガス燃料制御の実行手順につき、図２を参照しつつ、以下に詳しく説明する。前述のように、図２は、本発明の１つの実施態様に係る直噴ガスエンジンにおいて実行されるガス燃料噴射制御の実行手順の一例を示すフローチャートである。
【００９６】
図２に示すように、本実施態様においては、先ずメインタンク２１の内圧Ｐｍ及びサブタンク２２の内圧Ｐｓがタンク内圧検出手段（圧力センサ３１及び３２）によって取得される（ステップＳ２０１）。次に、取得されたメインタンク２１の内圧Ｐｍが第１所定圧Ｐ１以上であるか否かが判定される（ステップＳ２０２）。メインタンク２１の内圧Ｐｍが第１所定圧Ｐ１以上である場合は（ステップＳ２０２：Ｙｅｓ）、遮断弁４１が開かれ、遮断弁４２が閉じられる（ステップＳ２０３）。これにより、メインタンク２１から噴射手段（噴射弁１１）にガス燃料が供給される。
【００９７】
一方、タンク内圧検出手段（圧力センサ３１）によって取得されたメインタンク２１の内圧Ｐｍが第１所定圧Ｐ１未満である場合は（ステップＳ２０２：Ｎｏ）、遮断弁４１が閉じられ、遮断弁４２が開かれる（ステップＳ２０４）。これにより、サブタンク２２から噴射手段（噴射弁１１）にガス燃料が供給されるようになる。
【００９８】
次に、タンク内圧検出手段（圧力センサ３２）によって取得されたサブタンク２２の内圧Ｐｓが第２所定圧Ｐ２未満であるか否かが判定される（ステップＳ２０５）。取得されたサブタンク２２の内圧Ｐｓが第２所定圧Ｐ２未満である場合は（ステップＳ２０５：Ｙｅｓ）、加圧手段（加圧装置５１）の作動が開始され（ＯＮされ）、遮断弁５２が開かれる（ステップＳ２０６）。これにより、加圧手段（加圧装置５１）によって、メインタンク２１からサブタンク２２にガス燃料が充填され、サブタンク２２の内圧が高められる。
【００９９】
一方、タンク内圧検出手段（圧力センサ３２）によって取得されたサブタンク２２の内圧Ｐｓが第２所定圧Ｐ２以上である場合は（ステップＳ２０５：Ｎｏ）、加圧手段（加圧装置５１）の作動が停止され（ＯＦＦされ）、遮断弁５２が閉じられる（ステップＳ２０７）。これにより、必要以上に加圧手段（加圧装置５１）が作動することに起因する動力の浪費を抑制することができる。
【０１００】
以上のようにして、本実施態様においては、ガス燃料を燃焼室内に直接噴射して燃焼させる直噴ガスエンジンにおいて、ガス燃料の消費に伴ってメインタンクの内圧が低下しても、サブタンクからガス燃料を供給することができ、且つサブタンクの内圧は、加圧手段によってメインタンクからサブタンクにガス燃料が充填されることにより所定の圧力以上に維持されるので、航続距離の向上と高負荷時の高効率運転とを両立することができる。
【０１０１】
しかしながら、前述のように、ガス燃料の消費が更に進み、メインタンク２１の内圧Ｐｍが著しく低下すると、加圧手段（加圧装置５１）によるメインタンク２１からサブタンク２２へのガス燃料の充填が著しく困難となり、サブタンク２２の内圧Ｐｓを第２所定圧Ｐ２以上に維持するには加圧手段（加圧装置５１）の作動に必要とされる動力が過大になったり、更にはサブタンク２２の内圧Ｐｓを第２所定圧Ｐ２以上に維持することができなくなったりする。
【０１０２】
つまり、メインタンク２１の内圧Ｐｍが所定の圧力（第３所定圧Ｐ３）未満にまで低下した場合は、加圧手段（加圧装置５１）を作動させても、サブタンク２２の内圧Ｐｓを高圧噴射が可能な圧力まで効率良く高めることがもはやできない。即ち、かかる状況下において加圧手段（加圧装置５１）を作動させることは、限られた動力を無駄に浪費することに繋がる虞がある。従って、メインタンク２１の内圧Ｐｍが所定の圧力（第３所定圧Ｐ３）未満に低下した場合は、加圧手段（加圧装置５１）を作動させず、サブタンク２２に貯蔵されているガス燃料の圧力による高圧噴射を可能な限り継続させる方が、加圧手段（加圧装置５１）を無駄に作動させるよりも、省エネルギーの観点からも望ましい。
【０１０３】
尚、第３所定圧Ｐ３とは、前述のように、加圧手段（加圧装置５１）によってメインタンク２１からサブタンク２２にガス燃料を充填してサブタンク２２の内圧Ｐｓを高め、サブタンク２２の内圧Ｐｓを高圧噴射に必要な圧力（即ち、第２所定圧Ｐ２以上）に効率良く維持することが可能な、メインタンク２１の内圧Ｐｍの最小値として規定することができる。当然のことながら、第３所定圧Ｐ３は、前述の第１所定圧Ｐ１よりも低く設定される。
【０１０４】
上記のような状況下で実行される、本発明に係る直噴ガスエンジンにおけるガス燃料噴射制御について、図３を参照しつつ、以下に詳しく説明する。前述のように、図３は、本発明のもう１つの実施態様に係る直噴ガスエンジンにおいて実行されるガス燃料噴射制御の実行手順の一例を示すフローチャートである。
【０１０５】
図３に示すように、本実施態様においても、先ずメインタンク２１の内圧Ｐｍ及びサブタンク２２の内圧Ｐｓがタンク内圧検出手段（圧力センサ３１及び３２）によって取得される（ステップＳ３０１）。次に、取得されたメインタンク２１の内圧Ｐｍが第３所定圧Ｐ３以上であるか否かが判定される（ステップＳ３０２）。メインタンク２１の内圧Ｐｍが第３所定圧Ｐ３以上である場合は（ステップＳ３０２：Ｙｅｓ）、次のステップＳ３０３以降のフローに進む。このステップＳ３０３以降のフローは、図２に示すフローチャートにおけるステップＳ２０２以降のフロート同一であるので、ここでの説明は割愛する。
【０１０６】
一方、タンク内圧検出手段（圧力センサ３１）によって取得されたメインタンク２１の内圧Ｐｍが第３所定圧Ｐ３未満である場合は（ステップＳ３０２：Ｎｏ）、遮断弁４１が閉じられ、遮断弁４２が開かれ、加圧手段（加圧装置５１）の作動が停止され（ＯＦＦされ）、遮断弁５２が閉じられる（ステップＳ３０４）。これにより、メインタンク２１からサブタンク２２へのガス燃料の充填を伴わずに、サブタンク２２から噴射手段（噴射弁１１）へのガス燃料の供給が継続される。
【０１０７】
以上のようにして、本実施態様においては、メインタンクの内圧が、加圧手段を作動させてもサブタンクの内圧を高圧噴射が可能な圧力まで効率良く高めることがもはやできない程度にまで低下した場合は、加圧手段を作動させず、サブタンクに貯蔵されているガス燃料の圧力による高圧噴射を可能な限り継続させることにより、加圧手段を無駄に作動させることに起因する動力の浪費を抑制することができる。
【０１０８】
以上説明してきた本発明の実施態様は何れも、ガス燃料の消費に伴ってメインタンクの内圧が低下しても、メインタンクに残っているガス燃料を加圧手段によってサブタンクに充填して、サブタンクの内圧を維持し、高圧噴射を持続させようとするものである。しかしながら、このままガス燃料が補給されなければ、いずれは高圧噴射に必要なガス燃料の圧力を維持することができなくなり、エンジンが停止する事を回避することはできない。従って、ガス燃料の消費状況（貯蔵状況）を運転者に適宜認識させ、エンジンの予期せぬ停止という事態を避けることが重要である。
【０１０９】
そこで、ガス燃料の消費状況（貯蔵状況）を運転者に認識させるべく、メインタンク及びサブタンクの内圧に関する警告を発する実施態様について、図４を参照しつつ、以下に詳しく説明する。前述のように、図４は、本発明の更にもう１つの実施態様に係る直噴ガスエンジンにおけるタンク内圧警告手段によって実行される、ガス燃料タンクの内圧に関する警告の実行手順の一例を示すフローチャートである。
【０１１０】
図４に示すように、本実施態様においては、先ずメインタンク２１の内圧Ｐｍ及びサブタンク２２の内圧Ｐｓがタンク内圧検出手段（圧力センサ３１及び３２）によって取得される（ステップＳ４０１）。次に、取得されたサブタンク２２の内圧Ｐｓが第２所定圧Ｐ２以上であるか否かが判定される（ステップＳ４０２）。サブタンク２２の内圧Ｐｓが第２所定圧Ｐ２未満である場合は（ステップＳ４０２：Ｎｏ）、第３警告が表示される（ステップＳ４０４）。これにより、サブタンクの内圧Ｐｓが既に第２所定圧Ｐ２未満にまで低下しており、間も無くエンジン１０が停止するであろうことを運転者が認識することができる。
【０１１１】
一方、タンク内圧検出手段（圧力センサ３２）によって取得されたサブタンク２２の内圧Ｐｓが第２所定圧Ｐ２以上である場合は（ステップＳ４０２：Ｙｅｓ）、タンク内圧検出手段（圧力センサ３１）によって取得されたメインタンク２１の内圧Ｐｍが第３所定圧Ｐ３以上であるか否かが判定される（ステップＳ４０３）。取得されたメインタンク２１の内圧Ｐｍが第３所定圧Ｐ３未満である場合は（ステップＳ４０３：Ｎｏ）、第２警告が表示される（ステップＳ４０６）。これにより、メインタンク２１の内圧Ｐｍが第３所定圧Ｐ３未満にまで低下したことを受け、加圧手段（加圧装置５１）によるメインタンク２１からサブタンク２２へのガス燃料の充填が既に停止されており、遠からずサブタンク２２の内圧が第２所定圧Ｐ２未満にまで低下し、やがてエンジン１０が停止するであろうことを運転者が認識することができる。
【０１１２】
一方、タンク内圧検出手段（圧力センサ３１）によって取得されたメインタンク２１の内圧Ｐｍが第３所定圧Ｐ３以上である場合は（ステップＳ４０３：Ｙｅｓ）、取得されたメインタンク２１の内圧Ｐｍが第１所定圧Ｐ１以上であるか否かが判定される（ステップＳ４０５）。メインタンク２１の内圧Ｐｍが第１所定圧Ｐ１未満である場合は（ステップＳ４０５：Ｎｏ）、第１警告が表示される（ステップＳ４０８）。これにより、メインタンク２１内に貯蔵されたガス燃料が減少してメインタンク２１の内圧Ｐｍが第１所定圧Ｐ１未満にまで低下したために、ガス燃料の供給源がメインタンク２１からサブタンク２２に切り換えられたことを運転者が認識することができる。
【０１１３】
尚、上記のようにメインタンク２１に代わってサブタンク２２からガス燃料を供給するに当たっては、サブタンク２２の内圧Ｐｓは、加圧手段（加圧装置５１）によって、高圧噴射を実現し得る所定の圧力に維持される。従って、この時点でガス燃料が補給され、メインタンク２１の内圧が十分に上昇すれば、加圧手段（加圧装置５１）が停止されて、メインタンク２１から噴射手段へのガス燃料の供給が再開され、加圧手段（加圧装置５１）の作動に動力を割くこと無く、高い効率にてエンジンを運転することができることを運転者が認識することができる。
【０１１４】
一方、タンク内圧検出手段（圧力センサ３１）によって取得されたメインタンク２１の内圧Ｐｍが第１所定圧Ｐ１以上である場合は（ステップＳ４０５：Ｙｅｓ）、ガス燃料が十分に貯蔵されていることを意味するので警告は表示されない（ステップＳ４０７）。
【０１１５】
尚、図４に示すフローチャートによって表される一連の処理は、例えば、所定のクランク角毎の割り込み処理として、電子制御装置によって実行することができるが、エンジン等の設計仕様等に応じて、当該処理の実行時期を他の方法によって制御してもよい。
【０１１６】
また、本実施態様においては、上記のように、ガス燃料の欠乏によるエンジンの停止という事態に対する緊急性が高い順（即ち、警告３、警告２、警告１の順）に、各タンクの内圧の判定及び各警告の表示のルーチンを実行しているが、各ルーチンの実行順序は必ずしも本実施態様にて示した順序に限定されない。
【０１１７】
更に、本実施態様においては、図４に示すフローチャートに従って発っせられる各々の警告を「表示する」と説明したが、個々の警告を発する方法は、特定の方法に限定されるものではなく、例えば、運転者の視覚や聴覚に訴える種々の方法（例えば、警告ランプ、アラーム音、音声等）から適宜選択することができる。
【０１１８】
以上、本発明の１つの実施態様に係る直噴ガスエンジンの構成、本発明の種々の実施態様に係る直噴ガスエンジンにおいて実行されるガス燃料噴射制御の実行手順、及び本発明の１つの実施態様に係る直噴ガスエンジンにおけるタンク内圧警告手段によって実行される、ガス燃料タンクの内圧に関する警告の実行手順につき、様々な図を参照しながら詳細に説明してきたが、本発明の範囲は、これらの例示的な実施態様に限定されるものではなく、特許請求の範囲及び明細書に記載された事項の範囲内で、適宜修正を加えることができる。
【符号の説明】
【０１１９】
１０…エンジン、１１…噴射弁、１２…燃焼室、１３…ピストン、２１…メインタンク、２２…サブタンク、３１…圧力センサ、３２…圧力センサ、４１…遮断弁、４２…遮断弁、５１…加圧装置、５２…遮断弁、６１…充填口、７１…レギュレータ、７２…サージタンク。
【図１】
2012117495.tif 000003
【図２】
2012117495.tif 000004
【図３】
2012117495.tif 000005
【図４】
2012117495.tif 000006
【図５】
2012117495.tif 000007
【図６】
2012117495.tif 000008
【図７】
2012117495.tif 000009